【手続補正書】
【提出日】平成23年3月23日(2011.3.23)
【手続補正１】
【補正対象書類名】特許請求の範囲
【補正対象項目名】全文
【補正方法】変更
【補正の内容】
【特許請求の範囲】
【請求項１】
レーザ発光手段により射出したレーザを像担持体に照射することで前記像担持体に潜像を形成する光学走査装置において、
前記レーザ発光手段による前記像担持体に対する複数のレーザ照射位置におけるレーザの照度を測定する測定手段と、
前記レーザ発光手段から射出するレーザにおける複数の光量設定値に対する、前記測定手段により測定された複数のレーザ照射位置の照度の測定値をｎ次近似したｎ次近似式（ｎ≧２）を算出する第１の算出手段と、
前記第１の算出手段により算出された前記ｎ次近似式を用いて、前記測定手段により測定された前記像担持体に対する任意のレーザ照射位置の照度と、前記像担持体に対する少なくとも１つ以上の他のレーザ照射位置の照度との照度差を、前記複数の光量設定値について算出する第２の算出手段と、
前記第２の算出手段により算出された照度差に従って、照度補正値を算出する第３の算出手段と、
前記第３の算出手段により算出された照度補正値に従って、前記レーザ発光手段により射出するレーザの光量を制御する制御手段と、
を備えることを特徴とする光学走査装置。
【請求項２】
前記ｎ次近似式は、４次近似式であることを特徴とする請求項１記載の光学走査装置。
【請求項３】
レーザ発光手段により射出したレーザを像担持体に照射することで前記像担持体に潜像を形成する光学走査装置において、
前記レーザ発光手段による前記像担持体に対する複数のレーザ照射位置におけるレーザの照度を測定する測定手段と、
前記レーザ発光手段から射出するレーザにおける複数の光量設定値に対する、前記測定手段により測定された複数のレーザ照射位置の照度の測定値をｎ次近似したｎ次近似式（ｎ≧２）を算出し、前記ｎ次近似式を微分した式を算出する第１の算出手段と、
前記第１の算出手段により算出された前記ｎ次近似式を微分した式を用いて、前記測定手段により測定された前記像担持体に対する任意のレーザ照射位置の照度と、前記像担持体に対する少なくとも１つ以上の他のレーザ照射位置の照度との照度差を、前記複数の光量設定値について算出する第２の算出手段と、
前記第２の算出手段により算出された照度差に従って、照度補正値を算出する第３の算出手段と、
前記第３の算出手段により算出された照度補正値に従って、前記レーザ発光手段により射出するレーザの光量を制御する制御手段と、
を備えることを特徴とする光学走査装置。
【請求項４】
前記ｎ次近似式は、２次近似式であることを特徴とする請求項３記載の光学走査装置。
【請求項５】
前記測定手段は、前記像担持体のレーザ照射位置に相当する箇所に配置されることを特徴とする請求項１又は３記載の光学走査装置。
【請求項６】
請求項１〜５の何れかに記載の光学走査装置を備え、前記光学走査装置により像担持体に形成された潜像を現像した可視像を用紙に転写することで画像形成を行うことを特徴とする画像形成装置。
【請求項７】
レーザ発光手段により射出したレーザを像担持体に照射することで前記像担持体に潜像を形成する光学走査装置の制御方法において、
前記レーザ発光手段による前記像担持体に対する複数のレーザ照射位置におけるレーザの照度を測定する測定ステップと、
前記レーザ発光手段から射出するレーザにおける複数の光量設定値に対する、前記測定ステップにより測定された複数のレーザ照射位置の照度の測定値をｎ次近似したｎ次近似式（ｎ≧２）を算出する第１の算出ステップと、
前記第１の算出ステップにより算出された前記ｎ次近似式を用いて、前記測定ステップにより測定された前記像担持体に対する任意のレーザ照射位置の照度と、前記像担持体に対する少なくとも１つ以上の他のレーザ照射位置の照度との照度差を、前記複数の光量設定値について算出する第２の算出ステップと、
前記第２の算出ステップにより算出された照度差に従って、照度補正値を算出する第３の算出ステップと、
前記第３の算出ステップにより算出された照度補正値に従って、前記レーザ発光手段により射出するレーザの光量を制御する制御ステップと、を有することを特徴とする制御方法。
【請求項８】
レーザ発光手段により射出したレーザを像担持体に照射することで前記像担持体に潜像を形成する光学走査装置の制御方法において、
前記レーザ発光手段による前記像担持体に対する複数のレーザ照射位置におけるレーザの照度を測定する測定ステップと、
前記レーザ発光手段から射出するレーザにおける複数の光量設定値に対する、前記測定ステップにより測定された複数のレーザ照射位置の照度の測定値をｎ次近似したｎ次近似式（ｎ≧２）を算出し、前記ｎ次近似式を微分した式を算出する第１の算出ステップと、
前記第１の算出ステップにより算出された前記ｎ次近似式を微分した式を用いて、前記測定ステップにより測定された前記像担持体に対する任意のレーザ照射位置の照度と、前記像担持体に対する少なくとも１つ以上の他のレーザ照射位置の照度との照度差を、前記複数の光量設定値について算出する第２の算出ステップと、
前記第２の算出ステップにより算出された照度差に従って、照度補正値を算出する第３の算出ステップと、
前記第３の算出ステップにより算出された照度補正値に従って、前記レーザ発光手段により射出するレーザの光量を制御する制御ステップと、を有することを特徴とする制御方法。
【請求項９】
請求項７又は８記載の光学走査装置の制御方法をコンピュータに実行させるための、コンピュータにより読み出し可能なプログラム。
【手続補正２】
【補正対象書類名】明細書
【補正対象項目名】０００９
【補正方法】変更
【補正の内容】
【０００９】
上述の目的を達成するために、本発明は、レーザ発光手段により射出したレーザを像担持体に照射することで前記像担持体に潜像を形成する光学走査装置において、前記レーザ発光手段による前記像担持体に対する複数のレーザ照射位置におけるレーザの照度を測定する測定手段と、前記レーザ発光手段から射出するレーザにおける複数の光量設定値に対する、前記測定手段により測定された複数のレーザ照射位置の照度の測定値をｎ次近似したｎ次近似式（ｎ≧２）を算出する第１の算出手段と、前記第１の算出手段により算出された前記ｎ次近似式を用いて、前記測定手段により測定された前記像担持体に対する任意のレーザ照射位置の照度と、前記像担持体に対する少なくとも１つ以上の他のレーザ照射位置の照度との照度差を、前記複数の光量設定値について算出する第２の算出手段と、前記第２の算出手段により算出された照度差に従って、照度補正値を算出する第３の算出手段と、前記第３の算出手段により算出された照度補正値に従って、前記レーザ発光手段により射出するレーザの光量を制御する制御手段と、を備えることを特徴とする。
【手続補正３】
【補正対象書類名】明細書
【補正対象項目名】００１０
【補正方法】変更
【補正の内容】
【００１０】
上述の目的を達成するために、本発明は、レーザ発光手段により射出したレーザを像担持体に照射することで前記像担持体に潜像を形成する光学走査装置において、前記レーザ発光手段による前記像担持体に対する複数のレーザ照射位置におけるレーザの照度を測定する測定手段と、前記レーザ発光手段から射出するレーザにおける複数の光量設定値に対する、前記測定手段により測定された複数のレーザ照射位置の照度の測定値をｎ次近似したｎ次近似式（ｎ≧２）を算出し、前記ｎ次近似式を微分した式を算出する第１の算出手段と、前記第１の算出手段により算出された前記ｎ次近似式を微分した式を用いて、前記測定手段により測定された前記像担持体に対する任意のレーザ照射位置の照度と、前記像担持体に対する少なくとも１つ以上の他のレーザ照射位置の照度との照度差を、前記複数の光量設定値について算出する第２の算出手段と、前記第２の算出手段により算出された照度差に従って、照度補正値を算出する第３の算出手段と、前記第３の算出手段により算出された照度補正値に従って、前記レーザ発光手段により射出するレーザの光量を制御する制御手段と、を備えることを特徴とする。
【手続補正４】
【補正対象書類名】図面
【補正対象項目名】図３
【補正方法】変更
【補正の内容】
【図３】
2009196170.tif 000001